【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
側面に開口を有する弁ガイドに、側面に開口を有する弁体を内装して、この弁体に連結された操作部を回転させることで前記弁体を回転させて、前記弁体の開口と前記弁ガイドの開口とを重ね合わせたり、ずらしたりすることで通水と止水を行なうシリンダバルブであって、前記弁ガイドは、下面部に前記操作部と前記弁体とを挿入する挿入孔を設け、上面部に挿入孔から挿入した前記操作部のつまみを貫通する貫通孔と、前記操作部の回転を規制するストッパーとを設け、
前記つまみには溝部を形成して、前記貫通孔よりも外径が大きい抜け止めピンを前記溝部に嵌めるとともに、前記抜け止めピンをＣ形状として、前記溝部に装着したときに前記抜け止めピンのＣ形状の開部が前記ストッパーに重なり合うように配置していることを特徴とするシリンダバルブ。
【請求項２】
前記抜け止めピンは、前記操作部の回転動作と同時に抜け止めピンが回転しないように前記溝部に緩く嵌まっていることを特徴とする請求項１に記載のシリンダバルブ。
【請求項３】
前記操作部の基部外周には、前記弁体保持用の突起部を形成し、この突起部を前記弁体の一側端部に形成した保持孔に嵌合係止して、前記操作部と前記弁体とを前記弁ガイドの挿入孔から挿入して前記弁ガイド内に装着したことを特徴とする請求項１または２に記載のシリンダバルブ。
【請求項４】
側面に開口を有する弁ガイドに、側面に開口を有する弁体を内装して、この弁体に連結された操作部を回転させることで前記弁体を回転させて、前記弁体の開口と前記弁ガイドの開口とを重ね合わせたり、ずらしたりすることで通水と止水を行なうシリンダバルブであって、前記弁ガイドは、下面部に前記操作部と前記弁体とを挿入する挿入孔を設け、上面部に挿入孔から挿入した前記操作部のつまみを貫通する貫通孔とを設け、
かつ、前記弁ガイドの貫通孔側の外周側端部に爪部を突出させて形成してなることを特徴とするシリンダバルブ。
【請求項５】
前記爪部は、挿入孔側を開放したコの字形状に突設されていることを特徴とする請求項４に記載のシリンダバルブ。
【手続補正２】
【補正対象書類名】明細書
【補正対象項目名】０００２
【補正方法】変更
【補正の内容】
【０００２】
【従来技術】
従来、図１８に示すように、開口を有する弁ガイドに、開口を有する弁体を内装して、弁体に連結された操作部を回転させることで弁体を回転させて、弁体の開口と弁ガイドの開口とを重ね合わせたり、ずらしたりすることで通水・止水を行なうシリンダバルブが提案されている。
そして、弁ガイドは、下面部に操作部と弁体とを挿入する挿入孔を設け、上面部に挿入孔から挿入した操作部のつまみを貫通する貫通孔と操作部の回転を規制するストッパー１０２とを設けている。
そして、挿入孔から操作部と弁体を挿入して弁ガイド内に装着した後、挿入孔を塞ぎ蓋１００で覆って、挿入孔から弁体が飛び出さないようにしている。
【手続補正３】
【補正対象書類名】明細書
【補正対象項目名】０００４
【補正方法】変更
【補正の内容】
【０００４】
【課題を解決するための手段】
上記課題を解決すべく、本発明の請求項１では、側面に開口を有する弁ガイドに、側面に開口を有する弁体を内装して、この弁体に連結された操作部を回転させることで前記弁体を回転させて、前記弁体の開口と前記弁ガイドの開口とを重ね合わせたり、ずらしたりすることで通水と止水を行なうシリンダバルブであって、前記弁ガイドは、下面部に前記操作部と前記弁体とを挿入する挿入孔を設け、上面部に挿入孔から挿入した前記操作部のつまみを貫通する貫通孔と、前記操作部の回転を規制するストッパーとを設け、
前記つまみには溝部を形成して、前記貫通孔よりも外径が大きい抜け止めピンを前記溝部に嵌めるとともに、前記抜け止めピンをＣ形状として、前記溝部に装着したときに前記抜け止めピンのＣ形状の開部が前記ストッパーに重なり合うように配置していることを特徴とするシリンダバルブとした。
【手続補正４】
【補正対象書類名】明細書
【補正対象項目名】０００６
【補正方法】変更
【補正の内容】
【０００６】
本発明の請求項２では、前記抜け止めピンは、前記操作部の回転動作と同時に抜け止めピンが回転しないように前記溝部に緩く嵌まっていることを特徴とする請求項１に記載のシリンダバルブとした。


【手続補正５】
【補正対象書類名】明細書
【補正対象項目名】０００８
【補正方法】変更
【補正の内容】
【０００８】
本発明の請求項３では、前記操作部の基部外周には、前記弁体保持用の突起部を形成し、この突起部を前記弁体の一側端部に形成した保持孔に嵌合係止して、前記操作部と前記弁体とを前記弁ガイドの挿入孔から挿入して前記弁ガイド内に装着したことを特徴とする請求項１または２に記載のシリンダバルブとした。
【手続補正６】
【補正対象書類名】明細書
【補正対象項目名】００１０
【補正方法】変更
【補正の内容】
【００１０】
本発明の請求項４では、側面に開口を有する弁ガイドに、側面に開口を有する弁体を内装して、この弁体に連結された操作部を回転させることで前記弁体を回転させて、前記弁体の開口と前記弁ガイドの開口とを重ね合わせたり、ずらしたりすることで通水と止水を行なうシリンダバルブであって、前記弁ガイドは、下面部に前記操作部と前記弁体とを挿入する挿入孔を設け、上面部に挿入孔から挿入した前記操作部のつまみを貫通する貫通孔とを設け、
かつ、前記弁ガイドの貫通孔側の外周側端部に爪部を突出させて形成してなることを特徴とするシリンダバルブとした。
【手続補正７】
【補正対象書類名】明細書
【補正対象項目名】００１３
【補正方法】変更
【補正の内容】
【００１３】
本発明の請求項５では、前記爪部は、挿入孔側を開放したコの字形状に突設されていることを特徴とする請求項４に記載のシリンダバルブとした。
【手続補正８】
【補正対象書類名】明細書
【補正対象項目名】００１８
【補正方法】変更
【補正の内容】
【００１８】
また、つまみ１１には溝部１２を形成して、貫通孔８よりも外径が大きい抜け止めピン１４をこの溝部１２に嵌めることで、組立て後、操作部３のつまみ１１が貫通孔８ から抜けないようにしている。
なお、図５に示すように、この抜け止めピン１４は、Ｃ形状をしており、溝部１２に装着したときにＣ 形状の開部１４Ａが弁ガイド２のストッパー１５に重なり合うように配置している。このようにすることで、シリンダバルブ１全体（特にシリンダバルブ１の径方向の寸法）をよりコンパクトにすることが可能となる。
なお、このストッパー１５は、操作部３の回転角度を規制するためのものである。具体的には、操作部３に装着するハンドル３５に設けた突起（図示せず）がこのストッパー１５に当接することで、バルブの開閉角度を規制している。
なお、このときに抜け止めピン１４が溝部１２に緩く嵌まっているので、操作部３の回転動作と同時に抜け止めピン１４が回転しない。そのため、操作部３を回転すると抜け止めピン１４が同時に回転して、ストッパー１５に抜け止めピン１４が衝突して操作部３の操作性が低下するようなことがない。
また、ストッパーの形状は、同心円で同角（鋭角）の大小の円弧（計２ つ）とそれら両端を通る２ つの半径から囲まれてなる略扇形状とすることが好ましい。
これにより操作部の回転を規制するのに、ストッパーの半径方向の面で当接させて、当接面積を大きくとることができるので、確実に回転を規制することができる。